(57)【要約】  細長いフロントストラップと細長いバックストラップとを含むブラジャーであって、前記バックストラップの少なくとも１つの端部が前記フロントストラップの少なくとも１つの対応する端部に重なり合うように構成され、前記ブラジャーが片手を使用して着用者の胴体に着用され、固定されるようになっていること、および前記フロントストラップ及び前記バックストラップの少なくとも一方の端部の少なくとも１つが細長い補強要素を含み、前記補強要素は、前記ブラジャーが固定される前に着用者の身体にぶら下がっているときに、前記端部の水平方向の向きを維持するように、前記端部を水平方向に補強すること、を特徴とするブラジャー。
2021501838.tif 000002
【特許請求の範囲】
【請求項１】
細長いフロントストラップと細長いバックストラップとを含むブラジャーであって、
前記バックストラップの少なくとも１つの端部が前記フロントストラップの少なくとも１つの対応する端部に重なり合うように構成され、前記ブラジャーが片手を使用して着用者の胴体に着用され、固定されるようになっていること、および
前記フロントストラップ及び前記バックストラップの少なくとも一方の端部の少なくとも１つが細長い補強要素を含み、前記補強要素は、前記ブラジャーが固定される前に着用者の身体にぶら下がっているときに、前記端部の水平方向の向きを維持するように、前記端部を水平方向に補強すること、
を特徴とするブラジャー。
【請求項２】
前記バックストラップの前記少なくとも一端部は、少なくとも１つの面ファスナーによって、前記フロントストラップの少なくとも１つの対応する端部に留められるように構成される、請求項１に記載のブラジャー。
【請求項３】
前記面ファスナーが、
前記フロントストラップまたは前記バックストラップの端部の内面に取り付けられたループ部材と、
前記バックストラップまたは前記フロントストラップの端部の外面に取り付けられたフック部材と、を含む、請求項２に記載のブラジャー。
【請求項４】
前記フロントストラップまたは前記バックストラップの両端部が、前記補強要素を含む、請求項１から請求項３のいずれか１項に記載のブラジャー。
【請求項５】
前記バックストラップの少なくとも一方の端部は前記補強要素を含み、前記フロントストラップの端部は前記補強要素を含まない、請求項１から請求項４のいずれか１項に記載のブラジャー。
【請求項６】
前記補強要素が、前記端部のそれぞれの上縁部および下縁部に、またはそれに近接して延在する一対の水平骨を含む、請求項１から請求項５のいずれか１項に記載のブラジャー。
【請求項７】
前記請求項のいずれか１項に記載のブラジャーであって、
着用者の乳房を受けるための２つのカップを含むカップ部であって、２つのカップのうちの少なくとも１つが、補綴物を保持するための内側ポケットを含む、ブラジャー。
【請求項８】
ブラジャーの第１の側を第１の留め具を使用して留めること、
第１の腕の下で前記第１の側が留められ、前記ブラジャーのショルダーストラップによって支持され、かつ別の側が留められた状態で、前記ブラジャーを着用することら、および 
前記ブラジャーの第２の側は、前記第１の側とは反対側であって第２の腕の下にあり、着用者の胴体に向かって、前記ブラジャーの前記第２の側に押圧力を加えることで、片手で、前記第２の側にある第２の留め具を用いて前記ブラジャーの前記第２の側を留めること、
を含む方法。
【請求項９】
前記片手が前記第２の腕にある、請求項８に記載の方法。
【請求項１０】
前記ブラジャーの前記第２の側を留めることは、
前記第２の留め具の後端部を掌で保持すること、および
前記第２の留め具の前端部を手の指で把持すること、を含む、請求項９に記載の方法。
【請求項１１】
着用者の胸部を横断して着用するためのフロントストラップと、着用者の背中を横断して着用するためのバックストラップと、を含むブラジャーであって、
前記バックストラップの少なくとも１つの端部が、着用者の側部で前記フロントストラップの少なくとも１つの対応する端部に重なり合って留められるようになっており、それにより、前記ブラジャーを着用者の胴体に片手で装着し、固定することができるようになっており、かつ
前記バックストラップの端部の少なくとも１つは細長い補強要素を含み、前記補強要素は、前記端部を水平方向に補強して、前記ブラジャーが前記装着者の身体にぶら下がっているときに、前記端部の水平方向の向きを維持する、ブラジャー。
【発明の詳細な説明】
【技術分野】
【０００１】
関連出願
本出願はブラ  イージー  ピーティーワイ  リミテッド（Bra Easy Pty Ltd.）の名義で２０１７年１１月２日に出願された「ブラジャー」という名称のオーストラリア仮特許出願第２０１７９０４４５７号に関連し、その開示は、その全体が参照により本明細書に組み込まれる。
【０００２】
本開示は一般に、ブラジャーに関し、より詳細には、限られた身体機能または能力を有する人々のためのブラジャーに関する。
【背景技術】
【０００３】
「ブラ」とも呼ばれるブラジャーは、乳房を支持するために女性によって一般に着用される下着である。
【０００４】
ブラジャーは、典型的には着用者の胴の周りを包むブラジャーバンドと、２つのカップと、ショルダーストラップとを含む。ブラジャーバンドは通常、１つまたは複数のかぎホック（フックアンドアイ留め具）で背中を閉じている。したがって、このような従来のバッククロージャーブラジャーの取り付けおよび取り外しは、着用者が両腕で背中にまわし、両手を使用して留め具のかぎホック（フックアンドアイ）を取り付けまたは取り外すことを必要とする。
【０００５】
しかしながら、この操作は、片手を使うことに障害がある人にとっては困難または不便であったりすることがあり、身体の一方の側に疾病または傷害を有する人にとって痛みを伴うことがある。例えば、脳卒中後に脳に障害を負った人は、片手しか使えない場合や体の片側しか使えない場合があるため、従来のバッククロージャーブラジャーを着用することが困難になる場合がある。
【０００６】
先行技術に関連する１つ以上の欠点または制限に対処または改善すること、または少なくとも有用な代替手段を提供することが望まれている。
【発明の概要】
【０００７】
本発明によれば、
細長いフロントストラップと細長いバックストラップとを含むブラジャーであって、
前記バックストラップの少なくとも１つの端部が前記フロントストラップの少なくとも１つの対応する端部に重なり合うように構成され、前記ブラジャーが片手を使用して着用者の胴体に着用され、固定されるようになっていること、および
前記フロントストラップ及び前記バックストラップの少なくとも一方の端部の少なくとも１つが細長い補強要素を含み、前記補強要素は、前記ブラジャーが固定される前に着用者の身体にぶら下がっているときに、前記端部の水平方向の向きを維持するように、前記端部を水平方向に補強すること、
を特徴とするブラジャーが提供される。
【０００８】
本発明はまた、
ブラジャーの第１の側を第１の留め具を使用して留めること、
第１の腕の下で前記第１の側が留められ、前記ブラジャーのショルダーストラップによって支持され、かつ別の側が留められた状態で、前記ブラジャーを着用すること、および 
前記ブラジャーの第２の側は、前記第１の側とは反対側であって第２の腕の下にあり、着用者の胴体に向かって、前記ブラジャーの前記第２の側に押圧力を加えることで、片手で、前記第２の側にある第２の留め具を用いて前記ブラジャーの前記第２の側を留めること、
を含む方法を提供する。
【０００９】
本発明はまた、
着用者の胸部を横断して着用するためのフロントストラップと、着用者の背中を横断して着用するためのバックストラップと、を含むブラジャーであって、
前記バックストラップの少なくとも１つの端部が、着用者の側部で前記フロントストラップの少なくとも１つの対応する端部に重なり合って留められるようになっており、それにより、前記ブラジャーを着用者の胴体に片手で装着し、固定することができるようになっており、かつ
前記バックストラップの端部の少なくとも１つは細長い補強要素を含み、前記補強要素は、前記端部を水平方向に補強して、前記ブラジャーが前記装着者の身体にぶら下がっているときに、前記端部の水平方向の向きを維持する、
ブラジャーを提供する。
【図面の簡単な説明】
【００１０】
いくつかの実施形態は、添付の図面を参照して、単なる例として、以下に記載される。
【００１１】
【図１】図１は、第１の例示的な実施形態による、ブラジャーの前面を示す概略図である。
【００１２】
【図２】図２は、第１の実施形態によるブラジャーの背面を示す概略図である。
【００１３】
【図３】図３は、第２の例示的な実施形態によるブラジャーの前半分を示す正面図である。
【００１４】
【図４】図４は、第２の実施形態によるブラジャーの背面半分を示す背面図である。
【００１５】
【図５】図５は、ブラジャーの後半部と、製造または組立工程においてバックストラップに挿入される補強要素とを示す部分背面図である。
【００１６】
【図６−９】図６から図９は、ブラジャーを複数のステップで着用する着用者の概略図である。
【００１７】
【図１０】図１０は、第３の例示的な実施形態によるブラジャーの正面を示す概略図である。
【００１８】
【図１１】図１１は、第３の例示的な実施形態によるブラジャーの背面を示す概略図である。
【００１９】
【図１２】図１２は、第４の例示的な実施形態によるブラジャーの前半分を示す正面図である。
【００２０】
【図１３】図１３は、第４の実施形態によるブラジャーの背面半分を示す背面図である。
【００２１】
【図１４】図１４は、第４の実施形態によるブラジャーの後半部を示す部分背面図である。
【００２２】
【図１５】図１５は、第５の例示的な実施形態によるブラジャーの背面半分を示す背面図である。
【発明を実施するための形態】
【００２３】
けが、障害、病気の人は両手を使うのが難しく、従来のブラジャーを自分で着脱できないことがある。
【００２４】
本明細書に記載されているブラジャー１００は、着用者が左手または右手のいずれか一方の手だけを使用して、より簡単にブラジャーの着脱を行うことができるようにしたものである。
【００２５】
図１および図２は、ブラジャー１００の第１の例示的な実施形態を示す。ブラジャー１００は、ブラジャーバンド１０２の形態の細長いフロントストラップと、細長いバックストラップ１０４と、カップ部１０６と、一対のショルダーストラップ１０８および１１０とを含む。
【００２６】
ブラジャーバンド１０２、バックストラップ１０４、カップ部１０６、ショルダーストラップ１０８および１１０は、例えばナイロン、ポリエステル、綿、ライクラなどの布地繊維、または他の適当な材料など、肌着を作るための任意の適当な材料で作られていてもよい。
【００２７】
カップ部１０６は、ブラジャー１００が着用者によって着用されたときに着用者の胴体の前部の周りにフィットするブラジャーバンド１０２に取り付けられている。カップ部１０６は、センターパネルまたはブリッジと、着用者の乳房を受けるための一対のカップまたはマルチパートカップ１０７、１０９とを含む。
【００２８】
２つのショルダーストラップ１０８および１１０は、ブラジャーバンド１０２からバックストラップ１０４に延びている。好ましくは、２つのショルダーストラップ１０８及び１１０の各々がショルダーストラップ１０８及び１１０の長さを調節するための調節部材を含む。調整部材は、バックル１１２、１１４の形態をとることができる。バックル１１２、１１４は調節されたショルダーストラップの長さを固定するのに十分な機械的強度を提供する任意の適切な材料、例えば、プラスチックまたは金属材料から作製され得る。
【００２９】
ブラジャーバンド１０２は、２つの前端部１１６および１１８（「ブラサイド」または「ウイング」とも呼ばれる）を含む。
【００３０】
これに対応して、バックストラップ１０４は２つの後端部１２０および１２２（「ブラサイド」または「ウイング」とも呼ばれる）を含み、ブラジャーバンド１０２の前端部１１６および１１８は、留め部材を使用することによってそれぞれ留められるように構成される。このようにして、ブラジャーバンド１０２の２つの自由端は着用者の腕の下の着用者の側部でバックストラップ１０４の２つの自由端と重なり、留められ、それによって、ブラジャーが着用者の胴にフィットすることを可能にすることができる。
【００３１】
留め部材は少なくとも１つの留め具、例えば、面ファスナーを含む。面ファスナーは例えば、ＶｅｌｃｒｏＢＶＢＡによって供給される面ファスナー、例えば、Ｖｅｌｃｒｏ（登録商標） ＵＬＴＲＡ−ＭＡＴＥ（登録商標） フックファスナー、Ｖｅｌｃｒｏ（登録商標） 縫い付け面ファスナー、Ｖｅｌｃｒｏ（登録商標） ソフトアンドフレキシブル縫い付けファスナーであってもよい。代替的に、柔軟性のある生地および衣服と一緒に使用するのに適した他の任意の面ファスナーを選択することができる。
【００３２】
留め部材は、着用者の右腕の下で、前部右端部１１６を対応する後部右端部１２０に留めるための右留め具１２４と、着用者の左腕の下で、前部左端部１１８を対応する後部左端部１２２に留めるための左留め具１２６とを含むことができる。
【００３３】
右留め具１２４は、前部右端部１１６の内側表面に取り付けられた前部部材１２８と、対応する後部右端部１２０の外側表面に取り付けられた後部部材１３０とを含むことができる。同様に、第２留め具１２６は、前部左端部１１８の内側表面に取り付けられた前部部材１３２と、対応する後部左端部１２２の外側表面に取り付けられた後部部材１３４とを含むことができる。
【００３４】
留め具１２４、１２６は、面ファスナーである。内側に面したもの、すなわち前部部材１２８、１３２はループ（輪）であり、外側に面したもの、すなわち後部部材１３０、１３４はフック（かぎ）である。この配置は、外面ファスナーが後端部１２０、１２２の外面に設けられているため、フックが着用者の身体に接触することを防止または軽減することができる。
【００３５】
本実施例では、前部部材１２８、１３２及び後部部材１３０、１３４の各々は、矩形状に形成されている。前部部材１２８、１３２及び後部部材１３０、１３４は同じサイズで形成されてもよいし、異なるサイズで形成されてもよい。好ましくは、ループを有する前部部材１２８、１３２の各々は、フックを有する対応する後部部材１３０、１３４よりも大きなサイズで形成される。これにより、ブラジャーが留められたときに、後部部材上のフックが前部部材上のループによって完全に覆われることが可能になり、それによって、後部部材上のフックによって引き起こされる着用者の衣類への潜在的な損傷を防止または低減することができる。
【００３６】
面ファスナーの前部部材１２８、１３２および後部部材１３０、１３４の各々は任意の適切な取り付け手段（例えば、縫合、テープ留め、接着、リベット留め、または留め具を対応する端部に留めることを可能にする任意の他の適切な取り付け方法）によって、ブラジャーバンド１０２またはバックストラップ１０４の対応する端部に取り付けられ得る。
【００３７】
端部部分１１６、１１８、１２０、１２２の各々は、２つの自由端を留める前にブラジャー１００がショルダーストラップ１０８、１１０によって着用者の身体にぶら下がっているときに、これらの端部部分が水平方向の向きを維持するように、端部部分１１６、１１８、１２０、１２２を補強する水平方向に細長い補強要素を含んでいる。これにより、締め付け前に身体にぶら下がっているときに、補強部材が端部のうちの１つ以上を使用者の側部の腕の下に保持して、端部の脱落、または身体からの脱落を緩和するので、片手しか使えない着用者にとっては、留める作業を容易にすることができる。
【００３８】
補強要素は任意の適切な形態、例えば、１つ以上の骨（「リブ」としても知られる）の形態をとってもよい。骨は、骨またはプラスチックもしくは金属物質（例えば、プラスチックの薄い隆起片、またはワイヤ）から作られていてもよく、任意の適切な取り付け手段（例えば、縫製、テープ留め、接着、リベット留め、または任意の他の適切な取り付け手段）によって、端部部分１１６、１１８、１２０、および１２２に取り付けられていてもよい。好ましくは、骨は着用者の身体に直接接触しないように、布地で覆われる。好ましくは、骨は柔らかい材料（例えば、布地）によって着用者の身体から分離され、これはブラジャーが固定されるときに、着用者により快適さを提供する。一例として、端部１１６、１１８、１２０、１２２は、３つの層に形成されてもよい：
(１)着用者の身体と直接接触することができる内側織物層；
(２)（ブラジャーの大きさに応じて）ただ１つの骨、ただ２つの骨、または少なくとも２つの骨、または３つの骨、または４つの骨を有する補強要素を含む補強層；
(３)面ファスナータブ（例えばフック部材やループ部材）が取り付けられている外側織物層。
【００３９】
ブラジャーの製造において、補強要素は図５に示されるように、内側織物層と外側織物層との間に挿入され得る。
【００４０】
図２に示されるように、任意に、バックストラップ１０４は、２つの後端部１２０及び１２２の間に位置する弾性部１３６を更に含む。弾性部１３６は伸縮性のある布製であり、バックストラップ１０４の伸張を可能にする。この例では、弾性部１３６が細長い弾性ストラップの形態をとる。細長い弾性ストラップは弾性材料の一片のみを含むことができ、または、２つの後端部１２０、１２２の間に延びる２つ以上の弾性材料の一片を含むことができる（例えば、より大きなブラジャーの場合）。
【００４１】
任意に、カップ部１０６の２つのカップ１０７および１０９のそれぞれは、補綴物（乳房）を保持するための内側ポケット１３８、１４０を含む。あるいは、内側ポケットが２つのカップ１０７および１０９の一方にのみ設けられてもよい。
【００４２】
図１に戻って参照すると、任意に、カップ部１０６は、２つのカップ１０７、１０９のそれぞれに装飾パネル１４２、１４４をさらに含む。
【００４３】
図３および図４は、ブラジャー１００の別の例示的な実施形態を示す。
【００４４】
この実施形態では、ブラジャー１００が図１および図２に示す実施形態と同様の形態をとる。
【００４５】
この実施において、前部部材１２８、１３２及び後部部材１３０、１３４は五角形の形状、例えば、留められていないときにセンターパネルから離れる方向を向いている矢印形状を有する。あるいは、前部部材１２８、１３２及び後部部材１３０、１３４は対応する部材の形状が留めるために十分に重なる限り、長円形、丸形又は長方形とすることができる。
【００４６】
この実施形態では、各補強要素は、２つの平行な骨１４６、１４８を含み、これらの骨はそれぞれ、端部分１１６、１１８、１２０、および１２２のそれぞれの上縁部および下縁部に、またはそれらに近接して延在する。水平骨１４６、１４８は、着用者の胴体の周囲に適合するように湾曲していてもよい。曲率は弾性体を縫製することによって選択され、その曲率は標準的なブラジャーと同じである。図４に示されるように、バックストラップ１０４の各対の骨１４６、１４８は長手方向に沿って延び（すなわち、着用時には水平方向に延び）、対応するショルダーストラップ１０８／１１０とバックストラップ１０４とが接合されるバックストラップ１０４上の接合領域を通って延びる。これは、ブラジャーが固定される前に着用者の身体に吊り下げられているときに、補強要素が後端部１２０及び１２２に安定した支持を提供することを容易にする。
【００４７】
この実施態様では、骨１４６、１４８は端部１１６、１１８、１２０、１２２に縫合され、適切な布地、例えば、端部１１６、１１８、１２０、１２２と同じ布地で覆われている。
【００４８】
例示的寸法
ブラジャーは、様々なサイズおよび寸法に作ることができる。
【００４９】
例えば、ブラジャーバンド１０２は、カップ部１０６の各側部から１０ｃｍの長さにわたって延びることができる。
【００５０】
バックストラップ１０４は、６ｃｍの幅を有していてもよく、弾性部１３６の各側部から１９ｃｍの長さだけ延びていてもよい。弾性部１３６は、幅６ｃｍ、長さ８ｃｍとすることができる。
【００５１】
この例では面ファスナーの前部部材１２８、１３２及び後部部材１３０、１３４の各々は五角形の形状を有する。
【００５２】
前部部材１２８、１３２はブラジャーバンド１０２の長手方向に沿った４ｃｍの長さ（すなわち、装着される場合は水平）と、ブラジャーバンド１０２の横方向（すなわち、装着される場合は垂直）における５．７ｃｍの幅とを有してもよく、横方向は、長手方向に垂直である。後部部材１３０、１３４はバックストラップ１０４の長手方向に沿った４ｃｍの長さ（すなわち、装着される場合は水平）、及びバックストラップ１０４の垂直方向に沿った５．７ｃｍの幅を有していてもよい。前部部材１２８、１３２および／または後部部材１３０、１３４の長手方向（すなわち、着用時に水平）方向の幅は６ｃｍ、または少なくとも６ｃｍ、または少なくとも７ｃｍ、または少なくとも８ｃｍ、または少なくとも９ｃｍ、または少なくとも１０ｃｍであってもよい。
【００５３】
骨１４６、１４８は、ブラジャーバンド１０２又はバックストラップ１０４の長手方向に沿って、端部１１６、１１８、１２０、１２２の各々の上縁及び下縁にそれぞれ近接して延びている。ブラジャーバンド１０２の骨１４６および１４８の各々は、６ｃｍの長さおよび０．９ｃｍの幅を有する。バックストラップ１０４の骨１４６および１４８の各々は、１９ｃｍの長さおよび少なくとも０．９ｃｍの幅を有する。
【００５４】
あるいは、ブラジャー１００は、潜在的な着用者の身体サイズに適合するように、他の任意の適切な寸法を有していてもよい。
【００５５】
いくつかの実施形態では、ブラジャー１００が異なる着用者の身体サイズに適合するように、異なるサイズで提供されてもよい。
【００５６】
使用
使用時には、片腕／手または身体の片側の身体機能が制限されている着用者は、ブラジャーを身体に装着する前に、機能していない側または機能が劣る側の留め具の一方を留めてもよい。その後、着用者はブラジャーを着用し、機能する手を使用して、自分の身体の機能する側またはより機能する側に留め具の他方を留めることができる。
【００５７】
図６〜図９に示すように、着用者は以下のステップによって片手のみを用いてブラジャー１００を装着し、固定することができる：
ａ. ステップ１：着用者はブラジャー１００を身体に着用する前に、機能していない側または機能が劣る側の留め具を留める。
ｂ. ステップ２：図６に示すように、着用者は頭部の上でブラジャー１００を引っ張り、ショルダーストラップ１０８および１１０を肩に配置することによってブラジャー１００を着用し、その結果、着用者の機能する側またはより機能する側の留め具の前端部および後端部が着用者の胴にぶら下がり、ショルダーストラップ１０８、１１０および留められた留め具によって所定の位置に保持される。これらの２つの留められていない端部分上の補強要素は留められる前に、これらの端部分を水平に、かつ互いに対向または近接して、着用者の胴体に保持する。
ｃ. ステップ３：着用者は後端部１２０または１２２を前方の位置に、例えば指で引っ張り、次に、図７に示すように、機能する手の掌底で、後端部１２０または１２２を、胴体に対して前方位置で保持し、ブラジャー１００の後半分が着用者の身体に密接に接触するようにし、弾性部１３６がある程度の張力を受けるようにする。
ｄ. ステップ４：着用者は、前端部１１６または１１８を機能する手の指で（同時に後端部１２０または１２２を掌底で胴体に対して前方位置で保持しながら）、例えば親指と指との間で把持して、前端部１１６または１１８を、胴体上の前方位置と重なる後方位置に向かって後方に引っ張るように、すなわち、前端部１１６または１１８を後方に引っ張る。前端部１１６または１１８を、対応する後端部１２０または１２２に向けて後方に引っ張り、機能する掌底が後端部１２０または１２２を保持しながら、図８に示すように、前端部１１６または１１８の内側が対応する後端部１２０または１２２の外側と接触するようにし、それによって留め具の一端を留める。
ｅ. ステップ５：着用者は、図９に示すように、前端部１１６または１１８に沿って機能する手の指または手のひらを前端部１１６または１１８の端部に向かって（すなわち、装着者の胴体に向かって）押すことにより、留め具全体を留める。
ｆ. ステップ６：着用者はブラジャー１００から手を離し、ブラジャー１００を身体に固定する。
【００５８】
代替的に、着用者はブラジャー１００を身体に装着する前に、ブラジャー１００を機能する側又はより機能する側に留め、次に、ブラジャーが身体に吊り下げられているときに、以下のステップによって、ブラジャーを機能していない側又は機能が劣る側に留めることができる：
ａ. ステップ１：着用者はブラジャー１００を身体に装着する前に、留め具を、その機能する側またはより機能する側に留める。
ｂ. ステップ２：着用者は頭部の上でブラジャー１００を引っ張り、ショルダーストラップ１０８および１１０を肩に配置することによってブラジャー１００を着用し、着用者の機能していない側または機能が劣る側の留め具の前端部および後端部が着用者の胴体に対してぶら下がり、ショルダーストラップ１０８、１１０および留め具によって所定の位置に保持されるように、ショルダーストラップ１０８、１１０を肩に配置して、ブラジャー１００を着用する。これらの２つの留められていない端部の補強要素は、留められる前に、これらの端部分を水平方向に保持し、互いに対向または近接して、着用者の胴体に保持する。
ｃ. ステップ３：着用者は機能していない側または機能が劣る側の後端部を前方位置に、例えば指で引っ張り、次に、機能する手の指で後端部を胴体に対して前方位置に保持して、ブラジャー１００の後半分が着用者の身体に密着して接触するように、弾性部１３６がある程度の張力を受けるようにする。
ｄ. ステップ４：着用者は、機能していない側または機能が劣る側の前端部を機能する手の指で（同時に、対応する後端部部分を指で胴体に対して前方位置に保持しながら）、例えば親指と指との間で把持して、前端部を胴体上の前方位置と重なる後方位置に向かって後方に引っ張る。すなわち、前端部の内側が、対応する後端部の外側に接触するように、前端部を後方に向けて引っ張る。機能する手の指が後端部を保持している間に、前端部の内側が、対応する後端部の外側と接触するように、前端部を対応する後端部に向かって後方に引っ張り、それによって、留め具の一端を留める。
ｅ. ステップ５：着用者は、機能する手の指または手のひらを前端部に沿って前端部の端部に向けて（すなわち、装着者の胴体に向けて）押し、それによって留め具全体を留める。
ｆ. ステップ６：着用者はブラジャー１００から手を離し、ブラジャー１００を身体に固定する。
【００５９】
上記の方法で、ブラジャー１００は、片手のみを使用して着用者の身体に固定することができる。
【００６０】
ブラジャー１００を外すには、着用者は、片方の手でブラジャーバンド１０２の端部１１６、１２０をバックストラップ１０４の端部１１８、１２２から引っ張ってもよい。
【００６１】
このようにして、ブラジャー１００は、着用者が片手のみを使用してブラジャー１００をより容易に着脱することを可能にする。
【００６２】
記載されたブラジャー１００は従来のバッククロージャーブラジャーまたはフロントクロージャーブラジャーを操作または固定することが困難であることが分かっているあらゆる着用者、例えば、傷害、障害、虚弱、または疾病を患っている人々、自分の手の一方または身体の片側を使用することが困難であるような人々によって使用することができる。
【００６３】
ブラジャー１００は一般に、各人に特有のサイズであり、したがって容易に交換できないので、両側に手動で開くことができる留め具を有することは、着用者が例えば車椅子に座っているときに、着用者からブラジャー１００を取り外すか、または着用者にブラジャー１００を装着する第２の人、例えば介護者を支援することができる。
【００６４】
さらに、ブラジャー１００は、着用者が立ち上がったり、ブラジャー１００に踏み入れたりすることなく着用することができる。これは、立ち上がること又は足を動かすことが困難な人々にとって特に有利であり、例えば、車椅子に座っている着用者がブラジャーを装着することを可能にする。
【００６５】
自分一人では着用できない着用者に着用する人（例えば、介護者）によって着用される場合、ブラジャー１００は、最初の人がいつでも着用者の乳房に触れることを必要としない。ブラジャー１００は、着用者の肩の上に配置され、その間、両側が開いた構成である。次に、ブラジャーは着付け者が乳房に触れることなく、着用者の乳房を集めるために、前面で引き下げることができる。その後、ブラジャー１００は、着用者の腕の下で上向きに行うことができる。
【００６６】
このブラジャーの固定は、細かい器用さの指の動きを必要としないので、指の動きを行う能力が限られているユーザに適している。
【００６７】
変形例
上述した第１及び第２の実施態様では、バックストラップ１０４は、２つの後端部１２０、１２２の間に配置された弾性部１３６を含む。しかしながら、上述したように、弾性部１３６を設けることは任意である。例えば、図１０および図１１は、バックストラップ１０４が弾性部１３６を含まないブラジャー１００の第３の例示的な実施形態を示す。
【００６８】
本願明細書に記載された実施形態では、留め部材は、前部右端部１１６を対応する後部右端部１２０に留めるための第１の留め具１２４と、前部左端部１１８を対応する後部左端部１２２に留めるための第２の留め具１２６とを含む。いくつかの実施形態では、留め部材は、例えば、片側に負傷または障害を有する人のみが使用するために、第１の留め具１２４および第２の留め具１２６のうちの一方のみを含んでもよい。しかしながら、両側に留め部材を設けることは、身体の左側または右側のいずれかに身体機能が制限された人（例えば、異なる負傷または苦痛のために可変的に）がブラジャーを着用することを可能にし、複数のブラジャーの全体的な製造コストを低減することができる。
【００６９】
いくつかの実施態様では、留め具１２４、１２６は磁気留め具、すなわち、留め具１２４、１２６の各々の一部分に磁石を、留め具１２４、１２６の各々の他の部分に協働する磁石または磁気要素（例えば、鉄金属）を用いて置き換えることができ、および／または強化することができる。
【００７０】
本明細書に記載された実施形態では、補強要素が端部１１６、１１８、１２０および１２２のそれぞれに設けられるが、補強要素は、代わりに、バックストラップ１０４の後端部１２０、１２２にのみ設けられてもよい。この実施形態では、一般に、ブラジャーバンド１０２の前端部１１６、１１８は、一般的に後端部１２０、１２２よりも短く、フックアンドループ材料のために、その形状を保持すると考えられる。
【００７１】
例えば、図１２から図１４は、ブラジャー１００の第４の例示的な実施態様を示す。この実施態様では、一対の骨の形態の補強要素がバックストラップ１０４の後端部１２０、１２２にのみ設けられる。
【００７２】
図１４にさらに詳細に示されるように、骨の各々は、バックストラップ１０４の２つの布層の間に挟まれている。２つの布層は、骨をそれらの割り当てられた位置に固定するように骨の周りに縫い合わされ、例えば、１つの骨は対応する端部の上縁に近接して配置され、別の骨は対応する端部の下縁に近接して配置される。
【００７３】
さらに、図１４に示されるように、１つ以上の骨を固定するための縫製ラインは、着用されていないときに骨の各端部を超えて延び、対応する骨よりも少なくとも５％または１０％長い包含領域１５０（「ポケット」とも呼ばれる）を形成し、そのようなポケット内に骨が配置されたときに、ポケットの余分な空間は、骨を変形させることなく生地が伸縮することを可能にする。これにより、ブラジャーは、使用時に着用者の胴体により良く適合することができる。また、これにより、ブラジャーの耐用年数を増加させる。
【００７４】
図１４に示すように、本実施形態においては、面ファスナーの前部部材１２８、１３２及び後側部材１３０、１３４の各々は、矩形状を呈している。
【００７５】
さらに、図１３に示すように、本実施形態では、バックストラップ１０４は、弾性部１３６を含まない。
【００７６】
さらに、補強要素は、一対の水平な骨ではなく、代替的に、他の任意の適切な形態をとることができる。例えば、各端部のそれぞれの補強要素は、単一の水平骨または２つ以上の水平骨、剛性ストラップ、複数のリブ、または、ブラジャーが固定される前に着用者の身体に緩く吊り下げられているときに、対応する端部の水平配向を維持することができる任意の他の適切な形態であってもよい。２つ以上の骨を有することで、ブラジャーをより大きな身体サイズの着用者に適するものとすることが可能になり、より長く、より重いであろう端部のためのより良好な支持を提供する。
【００７７】
さらに、図１５に示されるように、いくつかの実施形態では、ショルダーストラップ１０８、１１０の各々は、それぞれ２つの結合点（１０８ｃ、１０８ｄ；及び１１０ｃ、１１０ｄ）でバックストラップ１０４に結合する２つの枝（１０８ａ、１０８ｂ；及び１１０ａ、１１０ｂ）を有していてもよい。骨１４６、１４８は、２つの結合点１０８ｃと１０８ｄとの間の領域、並びに２つの結合点１１０ｃと１１０ｄとの間の領域を通って延びていてもよい。このようにして、各ショルダーストラップの２つの分岐部と対応する補強要素とによって提供される三角形構造体は、ブラジャーが着用者の身体に吊り下げられてから留められる場合に、後端部１２０及び１２２により安定した支持を提供する。
【００７８】
解釈
本明細書における、以前の刊行物（またはそれから派生した情報）または既知の事項への言及は、以前の刊行物（またはそれから派生した情報）または既知の事項が、本明細書が関係する試みの分野における共通の一般的知識の一部を形成することの了承、承認、示唆したりするものではなく、また、そのような形式であっても、本明細書が関係する試みの分野における一般的な一般知識の一部を形成していると解釈すべきではない。
【００７９】
本発明の範囲から逸脱することなく、多くの修正が当業者には明らかであろう。
【符号の説明】
【００８０】
図面中の参照符号／数字は以下を含む：
１０２ ブラジャーバンド（フロントストラップ）
１０４ バックストラップ
１０６ センターパネルとブリッジを含むカップ部
１０７ カップ又はマルチパートカップ
１０８ 右ブラジャーストラップ（ショルダーストラップ）
１０９ カップ又はマルチパートカップ
１１０ 左ブラジャーストラップ（ショルダーストラップ）
１１２ 右バックル
１１４ 左バックル
１１６ ブラサイドまたはウイング（前部右端部）
１１８ ブラサイドまたはウイング（前部左端部）
１２０ ブラサイドまたはウイング（後部右端部）
１２２ ブラサイドまたはウイング（後部左端部）
１２４ 右留め具（ベルクロセット）
１２６ 左留め具（ベルクロセット）
１２８ 前部部材（右ベルクロループ）
１３０ 後部部材（右ベルクロフック）
１３２ 前部部材（左ベルクロループ）
１３４ 後部部材（左ベルクロフック）
１３６ 弾性部
１３８ 左内側ポケット
１４０ 右内側ポケット
１４２ 右カップ上部（装飾パネル）
１４４ 左カップ上部（装飾パネル）
１４６ 上の骨（またはボーニング）
１４８ 下の骨（またはボーニング）
１５０ 骨のための包含領域 
【図１】
2021501838.tif 000003
【図２】
2021501838.tif 000004
【図３】
2021501838.tif 000005
【図４】
2021501838.tif 000006
【図５】
2021501838.tif 000007
【図６】
2021501838.tif 000008
【図７】
2021501838.tif 000009
【図８】
2021501838.tif 000010
【図９】
2021501838.tif 000011
【図１０】
2021501838.tif 000012
【図１１】
2021501838.tif 000013
【図１２】
2021501838.tif 000014
【図１３】
2021501838.tif 000015
【図１４】
2021501838.tif 000016
【図１５】
2021501838.tif 000017
【国際調査報告】
2021501838.tif 000018
2021501838.tif 000019
2021501838.tif 000020